(57)【特許請求の範囲】
【請求項１】
スマートカード基盤の個人化サービスシステムにおいて、
上記スマートカードとの連動によって内蔵されたブラウザを通してユーザー要請サイトに接続するユーザー端末機と、
既設定されたイベント発生に対応して、内蔵されたスマートカードウェブサーバ（ＳＣＷＳ；Ｓｍａｒｔ  Ｃａｒｄ  ＷＥＢ  Ｓｅｒｖｅｒ）及び汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）機能支援に対応して蓄積されるユーザー履歴情報を集め、この集めたユーザー履歴情報に対するデータマイニング（Ｍｉｎｉｎｇ）を行って個人化情報を抽出するスマートカードとを含み、
上記スマートカードは、履歴情報収集モジュールを含み、
上記履歴情報収集モジュールは、上記スマートカードウェブサーバ機能の使用によって要求されるユーザー入力情報及び上記スマートカードウェブサーバに保存されたユーザー要請サイトの接続履歴情報を含む上記ユーザー履歴情報を収集し、
前記履歴情報収集モジュールは、サーバ情報収集モジュールを有し、該サーバ情報収集モジュールは、ジャバカード（Ｊａｖａ（登録商標）  Ｃａｒｄ）２．２．１で定義した共有インターフェースメカニズム（Ｓｈａｒｅａｂｌｅ  Ｉｎｔｅｒｆａｃｅ  Ｍｅｃｈａｎｉｓｍ）を通して上記スマートカードウェブサーバ機能を基盤として位置した多数のアプレット（Ａｐｐｌｅｔ）から上記ユーザー履歴情報を収集する
ことを特徴とするスマートカード基盤の個人化サービスシステム。
【請求項２】
上記システムは、
上記スマートカードを通して抽出された個人化情報を基に個人化サービスを提供するサービスアプリケーションサーバを更に含むことを特徴とする請求項１に記載のスマートカード基盤の個人化サービスシステム。
【請求項３】
上記サービスアプリケーションサーバは、
アプレット（Ａｐｐｌｅｔ）の形態で上記スマートカードに内蔵されるか、移動通信網上に位置した別途のサーバの形態で位置し上記抽出された個人化情報を基に上記個人化サービスを提供することを特徴とする請求項２に記載のスマートカード基盤の個人化サービスシステム。
【請求項４】
個人化サービスを提供するためのスマートカードにおいて、
既設定されたイベント発生によってブラウザ（Ｂｒｏｗｓｅｒ）を内蔵するユーザー端末機と連動してユーザー履歴情報を収集する履歴情報収集部；
上記収集されたユーザー履歴情報を基に個人性向の情報化のためのデータマイニング（Ｍｉｎｉｎｇ）を行って個人化情報を抽出する個人化情報抽出部；及び
上記スマートカード内部又は外部に位置する特定アプリケーションの要請に応じて上記抽出された個人化情報を提供するためのインターフェースを提供するインターフェース提供部；を含み、
上記履歴情報収集部は、内蔵されたスマートカードウェブサーバ（ＳＣＷＳ；Ｓｍａｒｔ  Ｃａｒｄ  ＷＥＢ  Ｓｅｒｖｅｒ）機能の使用によって要求されるユーザー入力情報及び上記スマートカードウェブサーバに保存されたユーザー要請サイトの接続履歴情報を含む上記ユーザー履歴情報を収集し、
前記履歴情報収集部は、サーバ情報収集モジュールを有し、該サーバ情報収集モジュールは、ジャバカード（Ｊａｖａ（登録商標）  Ｃａｒｄ）２．２．１で定義した共有インターフェースメカニズム（Ｓｈａｒｅａｂｌｅ  Ｉｎｔｅｒｆａｃｅ  Ｍｅｃｈａｎｉｓｍ）を通して上記スマートカードウェブサーバ機能を基盤として位置した多数のアプレット（Ａｐｐｌｅｔ）から上記ユーザー履歴情報を収集することを特徴とするスマートカード。
【請求項５】
上記履歴情報収集部は、
外部に位置した特定サーバ又は上記ユーザー端末機及びスマートカード内部で発生されるイベントを含む上記既設定されたイベントによって上記ユーザー履歴情報を収集することを特徴とする請求項４に記載のスマートカード。
【請求項６】
上記履歴情報収集部は、
上記スマートカードに内蔵された汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を基盤として保存された上記ユーザー履歴情報を収集するカード情報収集モジュール；及び
上記ユーザー端末機から受信される上記ユーザー履歴情報を収集する端末情報収集モジュール；を含むことを特徴とする請求項５に記載のスマートカード。
【請求項７】
上記カード情報収集モジュールは、
上記汎用加入者識別モジュールを基盤として保存された上記ユーザー端末機を通した通話履歴情報を含む上記ユーザー履歴情報を収集することを特徴とする請求項６に記載のスマートカード。
【請求項８】
上記端末情報収集モジュールは、
上記ユーザー端末機から受信される基地局情報による位置及び時間情報を含む上記ユーザー履歴情報を収集することを特徴とする請求項６に記載のスマートカード。
【請求項９】
上記端末情報収集モジュールは、
ＣＡＴ（Ｃｒｅｄｉｔ  Ａｕｔｈｏｒｉｚａｔｉｏｎ  Ｔｅｒｍｉｎａｌ）構造を通して上記ユーザー端末機から上記ユーザー履歴情報を収集することを特徴とする請求項６又は８に記載のスマートカード。
【請求項１０】
上記個人化情報抽出部は、
神経網（Ｎｅｕｒａｌ  ｎｅｔｗｏｒｋ）、Ｋ−平均クラスタリング（Ｋ−ｍｅａｎｓ  ｃｌｕｓｔｅｒｉｎｇ）及び決定木（Ｄｅｃｉｓｉｏｎ  ｔｒｅｅ）のうちの一つ以上を含むマイニングメカニズム（Ｍｉｎｉｎｇ  Ｍｅｃｈａｎｉｓｍ）を通して上記ユーザー履歴情報を基盤とする上記個人化情報を抽出することを特徴とする請求項４に記載のスマートカード。
【請求項１１】
スマートカード基盤の個人化サービス方法において、
既設定されたイベント発生によってブラウザ（Ｂｒｏｗｓｅｒ）を内蔵するユーザー端末機と連動しユーザー履歴情報を収集する履歴情報収集段階；
上記収集されたユーザー履歴情報を基に個人性向の情報化のためのデータマイニング（Ｍｉｎｉｎｇ）を行うマイニング遂行段階；及び
上記データマイニングの遂行によって抽出される個人化情報を特定アプリケーションの要請に応じて提供する情報提供段階；を含み
上記履歴情報収集段階は、スマートカードに内蔵されたスマートカードウェブサーバ（ＳＣＷＳ；Ｓｍａｒｔ  Ｃａｒｄ  ＷＥＢ  Ｓｅｒｖｅｒ）機能使用によって入力されるユーザー入力情報及び上記スマートカードウェブサーバに保存されたユーザー要請サイトの接続履歴情報を含む上記ユーザー履歴情報を収集し、さらに
前記履歴情報収集段階は、ジャバカード（Ｊａｖａ（登録商標）  Ｃａｒｄ）２．２．１で定義した共有インターフェースメカニズム（Ｓｈａｒｅａｂｌｅ  Ｉｎｔｅｒｆａｃｅ  Ｍｅｃｈａｎｉｓｍ）を通して上記スマートカードウェブサーバ機能を基盤として位置した多数のアプレット（Ａｐｐｌｅｔ）から上記ユーザー履歴情報を収集する
ことを特徴とするスマートカード基盤の個人化サービス方法。
【請求項１２】
上記履歴情報収集段階は、
外部に位置した特定サーバ、又は上記ユーザー端末機及びスマートカード内部で発生されるイベントを含む上記既設定されたイベントによって上記ユーザー履歴情報を収集することを特徴とする請求項１１に記載のスマートカード基盤の個人化サービス方法。
【請求項１３】
上記履歴情報収集段階は、
内蔵された汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を基盤として保存された上記ユーザー端末機を通した通話履歴情報を含む上記ユーザー履歴情報を収集することを特徴とする請求項１２に記載のスマートカード基盤の個人化サービス方法。
【請求項１４】
上記履歴情報収集段階は、
上記ユーザー端末機から受信される基地局情報による位置及び時間情報を含む上記ユーザー履歴情報を収集することを特徴とする請求項１２に記載のスマートカード基盤の個人化サービス方法。
【請求項１５】
上記履歴情報収集段階は、
ＣＡＴ（Ｃｒｅｄｉｔ  Ａｕｔｈｏｒｉｚａｔｉｏｎ  Ｔｅｒｍｉｎａｌ）構造を通して上記ユーザー端末機から上記ユーザー履歴情報を収集することを特徴とする請求項１４に記載のスマートカード基盤の個人化サービス方法。
【請求項１６】
上記マイニング遂行段階は、
神経網（Ｎｅｕｒａｌ  ｎｅｔｗｏｒｋ）、Ｋ−平均クラスタリング（Ｋ−ｍｅａｎｓ  ｃｌｕｓｔｅｒｉｎｇ）及び決定木（Ｄｅｃｉｓｉｏｎ  ｔｒｅｅ）のうちの一つ以上を含むマイニングメカニズム（Ｍｉｎｉｎｇ  Ｍｅｃｈａｎｉｓｍ）を通して上記ユーザー履歴情報を基盤とする上記個人化情報を抽出することを特徴とする請求項１１に記載のスマートカード基盤の個人化サービス方法。
【請求項１７】
上記情報提供段階は、
上記スマートカード内部又は外部に位置する上記特定アプリケーションの要請に応じて上記個人化情報を提供することを特徴とする請求項１１に記載のスマートカード基盤の個人化サービス方法。
【請求項１８】
請求項１１乃至１７のうちの少なくとも一つに記載の方法の各段階を行う命令を含むコンピュータ読み込み可能媒体。
【発明の詳細な説明】
【技術分野】
【０００１】
本発明は、スマートカードを利用した個人化サービス方案に関し、より詳しくは、スマートカードウェブサーバ（ＳＣＷＳ；Ｓｍａｒｔ  Ｃａｒｄ  Ｗｅｂ  Ｓｅｒｖｅｒ）機能及び汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）の内蔵されたスマートカードを利用して端末機を中心に発生する多様な履歴情報を蓄積し、これを基に多様な個人化サービスを提供するスマートカード基盤の個人化サービスシステム及びその方法、そしてこれに適用されるスマートカードに関する。
【背景技術】
【０００２】
既存の個人化サービスは、ネットワーク上で個人の履歴、選好度をサーバに保存し、サーバでエンジンを通して知能化された個人化情報を抽出し、他のサービスに提供して個人化された広告、位置基盤サービス、個人化検索などのサービスなどを提供するが、このようなネットワークサーバ基盤の個人化サービスは個人情報の収集に対する各種規制のためにサービスの提供に限界がある。
【０００３】
これと関連して、最近は移動通信端末機に搭載されるスマートカードの大容量化を基にウェブサーバ（ＳＣＷＳ；Ｓｍａｒｔ  Ｃａｒｄ  Ｗｅｂ  Ｓｅｒｖｅｒ）の概念がカード内に導入されて、多様なサービスアプリケーションをカードの中に入れることができる環境が整えられた。
【０００４】
これに伴い、上述したスマートカードを利用して上記ネットワークサーバ基盤の個人化サービスの限界を克服できる新しい方案の導出が要求される。
【０００５】
（発明の開示）
本発明は、上記のような先行技術に内在されていた問題点を解決するために創作されたものであり、その目的は、スマートカードウェブサーバ（ＳＣＷＳ；Ｓｍａｒｔ  Ｃａｒｄ  Ｗｅｂ  Ｓｅｒｖｅｒ）機能及び汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を支援するスマートカードを利用して端末機を中心に発生する多様な履歴情報を蓄積し、これを基に多様な個人化サービスを提供するスマートカード基盤の個人化サービスシステム及びその方法、そしてこれに適用されるスマートカードを提供することにある。
【０００６】
上記の目的を達成するための本発明の一面によってスマートカード基盤の個人化サービスシステムが提供され：このシステムは、上記スマートカードとの連動によってユーザー端末機に内蔵されたブラウザを通してユーザー要請サイトに接続するユーザー端末機；及び既設定されたイベントの発生に対応して内蔵されたスマートカードウェブサーバ（ＳＣＷＳ；Ｓｍａｒｔ  Ｃａｒｄ  ＷＥＢ  Ｓｅｒｖｅｒ）及び汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）機能支援に対応して蓄積されるユーザー履歴情報を集め、この集めたユーザー履歴情報に対するデータマイニング（Ｍｉｎｉｎｇ）を行って個人化情報を抽出するスマートカード；を含むことを特徴とする。
【０００７】
望ましくは、上記システムは、上記スマートカードを通して抽出された個人化情報を基に個人化サービスを提供するサービスアプリケーションサーバを更に含むことを特徴とする。
【０００８】
望ましくは、上記サービスアプリケーションサーバは、アプレット（Ａｐｐｌｅｔ）の形態で上記スマートカードに内蔵されるか、移動通信網上に位置した別途のサーバの形態で位置し、上記抽出された個人化情報を基に上記個人化サービスを提供することを特徴とする。
【０００９】
本発明の他の一面によって個人化サービスを提供するためのスマートカードが提供され：このスマートカードは、既設定されたイベント発生によってブラウザ（Ｂｒｏｗｓｅｒ）を内蔵するユーザー端末機と連動してユーザー履歴情報を収集する履歴情報収集部；上記収集されたユーザー履歴情報を基に個人性向の情報化のためのデータマイニング（Ｍｉｎｉｎｇ）を行って個人化情報を抽出する個人化情報抽出部；及び上記スマートカード内部又は外部に位置する特定アプリケーションの要請に応じて上記抽出された個人化情報を提供するためのインターフェースを提供するインターフェース提供部；を含むことを特徴とする。
【００１０】
望ましくは、上記履歴情報収集部は、外部に位置した特定サーバ、又は上記ユーザー端末機及びスマートカード内部で発生するイベントを含む上記既設定されたイベントによって上記ユーザー履歴情報を収集することを特徴とする。
【００１１】
望ましくは、上記履歴情報収集部は、上記スマートカードに内蔵されたスマートカードウェブサーバ（ＳＣＷＳ；Ｓｍａｒｔ  Ｃａｒｄ  ＷＥＢ  Ｓｅｒｖｅｒ）機能使用による上記ユーザー履歴情報を収集するサーバ情報収集モジュール；上記スマートカードに内蔵された汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を基盤として保存された上記ユーザー履歴情報を収集するカード情報収集モジュール；及び上記ユーザー端末機から受信される上記ユーザー履歴情報を収集する端末情報収集モジュール；を含むことを特徴とする。
【００１２】
望ましくは、上記サーバ情報収集モジュールは、上記スマートカードウェブサーバ（ＳＣＷＳ；Ｓｍａｒｔ  Ｃａｒｄ  ＷＥＢ  Ｓｅｒｖｅｒ）機能使用によって要求されるユーザー入力情報及び上記スマートカードウェブサーバに保存されたユーザー要請サイトの接続履歴情報を含む上記ユーザー履歴情報を収集することを特徴とする。
【００１３】
望ましくは、上記サーバ情報収集モジュールは、ジャバカード（Ｊａｖａ（登録商標）  Ｃａｒｄ）２．２．１で定義した共有インターフェースメカニズム（Ｓｈａｒｅａｂｌｅ  Ｉｎｔｅｒｆａｃｅ  Ｍｅｃｈａｎｉｓｍ）を通して上記スマートカードウェブサーバ機能を基盤として位置した多数のアプレット（Ａｐｐｌｅｔ）から上記ユーザー履歴情報を収集することを特徴とする。
【００１４】
望ましくは、上記カード情報収集モジュールは、上記汎用加入者識別モジュールを基盤として保存された上記ユーザー端末機を通した通話履歴情報を含む上記ユーザー履歴情報を収集することを特徴とする。
【００１５】
望ましくは、上記端末情報収集モジュールは、上記ユーザー端末機から受信される基地局情報による位置及び時間情報を含む上記ユーザー履歴情報を収集することを特徴とする。
【００１６】
望ましくは、上記端末情報収集モジュールは、ＣＡＴ（Ｃｒｅｄｉｔ  Ａｕｔｈｏｒｉｚａｔｉｏｎ  Ｔｅｒｍｉｎａｌ）構造を通して上記ユーザー端末機から上記ユーザー履歴情報を収集することを特徴とする。
【００１７】
望ましくは、上記個人化情報抽出部は、神経網（Ｎｅｕｒａｌ  ｎｅｔｗｏｒｋ）、Ｋ−平均クラスタリング（Ｋ−ｍｅａｎｓ  ｃｌｕｓｔｅｒｉｎｇ）及び決定木（Ｄｅｃｉｓｉｏｎ  ｔｒｅｅ）のうちの一つ以上を含むマイニングメカニズム（Ｍｉｎｉｎｇ  Ｍｅｃｈａｎｉｓｍ）を通して上記ユーザー履歴情報を基盤とする上記個人化情報を抽出することを特徴とする。
【００１８】
本発明の他の一面によって、スマートカード基盤の個人化サービス方法が提供され：この方法は、既設定されたイベント発生によってブラウザ（Ｂｒｏｗｓｅｒ）を内蔵するユーザー端末機と連動してユーザー履歴情報を収集する履歴情報収集段階；上記収集されたユーザー履歴情報を基に個人性向の情報化のためのデータマイニング（Ｍｉｎｉｎｇ）を行うマイニング遂行段階；及び上記データマイニングの遂行によって抽出される個人化情報を特定アプリケーションの要請に応じて提供する情報提供段階；を含むことを特徴とする。
【００１９】
望ましくは、上記履歴情報収集段階は、外部に位置した特定サーバ、又は上記ユーザー端末機及びスマートカード内部で発生されるイベントを含む上記既設定されたイベントによって上記ユーザー履歴情報を収集することを特徴とする。
【００２０】
望ましくは、上記履歴情報収集段階は、内蔵されたスマートカードウェブサーバ（ＳＣＷＳ；Ｓｍａｒｔ  Ｃａｒｄ  ＷＥＢ  Ｓｅｒｖｅｒ）機能使用によって入力されるユーザー入力情報及び上記スマートカードウェブサーバに保存されたユーザー要請サイトの接続履歴情報を含む上記ユーザー履歴情報を収集することを特徴とする。
【００２１】
望ましくは、上記履歴情報収集段階は、ジャバカード（Ｊａｖａ  Ｃａｒｄ）２．２．１で定義した共有インターフェースメカニズム（Ｓｈａｒｅａｂｌｅ  Ｉｎｔｅｒｆａｃｅ  Ｍｅｃｈａｎｉｓｍ）を通して上記スマートカードウェブサーバ機能を基盤として位置した多数のアプレット（Ａｐｐｌｅｔ）から上記ユーザー履歴情報を収集することを特徴とする。
【００２２】
望ましくは、上記履歴情報収集段階は、内蔵された汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を基盤として保存された上記ユーザー端末機を通した通話履歴情報を含む上記ユーザー履歴情報を収集することを特徴とする。
【００２３】
望ましくは、上記履歴情報収集段階は、上記ユーザー端末機から受信される基地局情報による位置及び時間情報を含む上記ユーザー履歴情報を収集することを特徴とする。
【００２４】
望ましくは、上記履歴情報収集段階は、ＣＡＴ（Ｃｒｅｄｉｔ  Ａｕｔｈｏｒｉｚａｔｉｏｎ  Ｔｅｒｍｉｎａｌ）構造を通して上記ユーザー端末機から上記ユーザー履歴情報を収集することを特徴とする。
【００２５】
望ましくは、上記マイニング遂行段階は、神経網（Ｎｅｕｒａｌ  ｎｅｔｗｏｒｋ）、Ｋ−平均クラスタリング（Ｋ−ｍｅａｎｓ  ｃｌｕｓｔｅｒｉｎｇ）及び決定木（Ｄｅｃｉｓｉｏｎ  ｔｒｅｅ）のうちの一つ以上を含むマイニングメカニズム（Ｍｉｎｉｎｇ  Ｍｅｃｈａｎｉｓｍ）を通して上記ユーザー履歴情報を基盤とする上記個人化情報を抽出することを特徴とする。
【００２６】
望ましくは、上記情報提供段階は、上記スマートカードの内部又は外部に位置する上記特定アプリケーションの要請に応じて上記個人化情報を提供することを特徴とする。
【００２７】
本発明によるスマートカード基盤の個人化サービスシステム及びその方法、そしてこれに適用されるスマートカードは、スマートカードに内蔵されたウェブサーバ（ＳＣＷＳ）機能及び汎用加入者識別モジュールを基盤として個人情報を取得することにより、ネットワークサーバとの連動なしでもスマートカード内部で多様な個人情報を収集し個人化情報を抽出することができる。
【００２８】
また、既存のネットワークサーバ基盤の個人化サービスの場合、個人情報収集に対する各種規制のためにサービス提供に限界があったが、スマートカードに内蔵されたウェブサーバ機能及び汎用加入者識別モジュール（ＵＳＩＭ）を基盤として個人情報を取得することによって、個人情報の収集がより容易になり多様な個人化サービスを提供することができる。
【図面の簡単な説明】
【００２９】
【図１】本発明の実施例によるスマートカード基盤の個人化サービスシステムの概略構成図である。
【図２】本発明の他の実施例によるスマートカード基盤の個人化サービスシステムの概略構成図である。
【図３】本発明の実施例によるスマートカードのアプリケーション設置環境を説明するための構成図である。
【図４】本発明の実施例によるスマートカードの概略構成図である。
【図５】本発明の実施例による履歴情報収集部の概略構成図である。
【図６】本発明の実施例によるスマートカード基盤の個人化サービス方法を説明するための概略順序図である。
【００３０】
（符号の説明）
１００  ユーザー端末機
２００  スマートカード
２１０  履歴情報収集部
２１１  サーバ情報収集モジュール
２１２  カード情報収集モジュール
２１３  端末情報収集モジュール
２２０  個人化情報抽出部
２３０  インターフェース提供部
３００  サービスアプリケーションサーバ
４００  アプリケーションサーバ
５００  サービスゲートウェイ
６００  遠隔管理サーバ
【発明を実施するための形態】
【００３１】
以下、添付図面を参照しながら本発明の望ましい実施例について説明する。
【００３２】
図１は、本発明の実施例によるスマートカード基盤の個人化サービスシステムの概略構成を示している。
【００３３】
図１に示すように、上記システムは、内蔵されたブラウザを介してユーザー要請サイトに接続するユーザー端末機１００；及び、スマートカードウェブサーバ（ＳＣＷＳ；Ｓｍａｒｔ  Ｃａｒｄ  Ｗｅｂ  Ｓｅｒｖｅｒ）機能及び汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を内蔵し、これを基にユーザー履歴情報を収集して個人化情報を抽出するスマートカード２００；を含む構成を有する。
【００３４】
上記ユーザー端末機１００は上記スマートカード２００との連動時に、内蔵されたブラウザを介してユーザー要請サイトに接続する。ここで、上記ユーザー要請サイトはウェブ（ＷＥＢ）又はワップ（ＷＡＰ）、つまり、ユーザー端末機１００の外部に位置するか、上記スマートカードウェブサーバ機能を基盤としてスマートカード２００にアプレット形態で内蔵される。尚、ユーザー端末機１００は、内蔵された通信モジュールを通して近隣に位置した基地局から周期的に基地局情報を受信して位置登録を行う。
【００３５】
上記スマートカード２００は、内蔵されたスマートカードウェブサーバ（ＳＣＷＳ）機能及び汎用加入者識別モジュール（ＵＳＩＭ）を基盤としてユーザー端末機１００と連動してユーザー履歴情報を収集する（１）データ収集機能、上記収集されたユーザー履歴情報を基に個人化情報を抽出する（２）データマイニング（Ｍｉｎｉｎｇ）機能、及び抽出された個人化情報の連動を要請し特定アプリケーションに提供する（３）アプリケーション連動機能を有する。
【００３６】
（１）まず、スマートカードのデータ収集機能を考察すれば次の通りである。
【００３７】
即ち、スマートカード２００は、内蔵されたスマートカードウェブサーバ（ＳＣＷＳ）機能使用によって発生されるユーザー履歴情報を収集する。より具体的に、スマートカード２００は、初期スマートカードウェブサーバ（ＳＣＷＳ）機能の使用時に必須として要求されるユーザー入力情報を収集する。ここで、上記ユーザー入力情報は、ユーザーが直接作成した１次的な非加工データを指し示すもので、ユーザーの年齢、性別、住所、及び趣味などであり得、このような入力データの範疇は運用者の設定によって多様に変更指定されることが望ましい。
【００３８】
また、スマートカード２００は、ユーザー要請サイトの接続履歴情報を収集する。より具体的に、スマートカード２００は、ユーザー端末機１００に内蔵されたブラウザを介した外部接続履歴及びスマートカード２００に内蔵された形態のウェブサイト、つまり、スマートカードウェブサーバ（ＳＣＷＳ）機能に基づきアプレット（Ａｐｐｌｅｔ）を基盤として設置された多数のサイトに接続することにより、スマートカードウェブサーバ（ＳＣＷＳ）にクッキーファイルの形態で登載されるか又は該当ウェブサイトで管理される接続ＵＲＬ情報を収集する。参考までに、スマートカード２００は、スマートカードウェブサーバ（ＳＣＷＳ）機能使用によって発生されるユーザー履歴情報を収集するにあたって、ジャバカード（Ｊａｖａ  Ｃａｒｄ）２．２．１で定義した共有インターフェースメカニズム（Ｓｈａｒｅａｂｌｅ  Ｉｎｔｅｒｆａｃｅ  Ｍｅｃｈａｎｉｓｍ）を適用し上記スマートカードウェブサーバ機能を基盤として位置した多数のアプレットからユーザー履歴情報を抽出することができる。
【００３９】
更に、スマートカード２００は、上記スマートカードに内蔵された汎用加入者識別モジュール（ＵＳＩＭ）を基盤として保存された上記ユーザー履歴情報を収集する。より具体的に、スマートカード２００は、汎用加入者識別モジュール（ＵＳＩＭ）のファイル構造内に保存されている上記ユーザー端末機１００を通した通話履歴（Ｃａｌｌ  Ｈｉｓｔｏｒｙ，ＳＭＳ）を収集する。
【００４０】
合わせて、スマートカード２００は、ユーザー端末機１００から受信されるユーザー履歴情報を収集する。より具体的に、スマートカード２００は、イベント発生、即ちユーザー設定周期によって、ＣＡＴ（Ｃｒｅｄｉｔ  Ａｕｔｈｏｒｉｚａｔｉｏｎ  Ｔｅｒｍｉｎａｌ）構造（Ｆｒａｍｅｗｏｒｋ）を通してユーザー端末機１００から受信される基地局情報に含まれた位置及び時間情報を収集する。この時、スマートカード２００はユーザー設定によって、上記基地局情報の他にユーザー端末機１００又は外部に位置したサーバから受信される多様な外部データを受信する構成も可能であろう。
【００４１】
一方、上述したスマートカード２００のデータ収集機能の場合、外部に位置するサーバとユーザー端末機１００及びスマートカード２００内部で発生させるイベントを基準に行なわれる。より具体的に、スマートカード２００のデータ収集機能は、例えば、外部に位置する特定サーバから発生されるサーバトリガーリング（Ｔｒｉｇｇｅｒｉｎｇ）イベント、ユーザー端末機１００及びスマートカード２００内部の特定アプリケーションから発生されるローカルトリガーリングイベント、そしてスマートカード２００内に設定された周期による自動トリガーリングイベントを含む既設定されたイベント発生を基準に行なうことができる。ここで、上記サーバトリガーリングイベントは、スマートカード２００のデータ収集機能の遂行時点を、外部に位置した特定サーバで指定して指示する方式を示す。また、上記ローカルトリガーリングイベントは、ユーザー端末機１００に内蔵されたブラウザを介して接続された、スマートカード２００にアプレット形態で存在するユーザー要請サイトの指示に従ってスマートカード２００のデータ収集機能が行われる方式を示す。尚、上記自動トリガーリングイベントは、スマートカード２００内に設定された時間周期又は搭載されたアプリケーションのアップデート時に発生され得るトランザクション（Ｔｒａｎｓａｃｔｉｏｎ）によってスマートカード２００のデータ収集機能が行われる方式を示す。
【００４２】
（２）次に、スマートカードのデータマイニング機能を考察すれば次の通りである。
【００４３】
即ち、スマートカード２００は、上述したデータ収集機能を基に収集されたユーザー履歴情報に基づいて個人性向の情報化のためのデータマイニング（Ｍｉｎｉｎｇ）を行って個人化情報を抽出する。より具体的に、スマートカード２００は、収集されたユーザー履歴情報、即ち、個人の通話履歴、位置履歴、購買履歴、訪問履歴、個人情報などを基にデータマイニングを行なってユーザー別選好、愛用、関心、性向などを情報化した個人化情報を抽出する。ここで、データマイニングは、神経網（Ｎｅｕｒａｌ  ｎｅｔｗｏｒｋ）、Ｋ−平均クラスタリング（Ｋ−ｍｅａｎｓ  ｃｌｕｓｔｅｒｉｎｇ）及び決定木（Ｄｅｃｉｓｉｏｎ  ｔｒｅｅ）などを含むマイニングメカニズム（Ｍｉｎｉｎｇ  Ｍｅｃｈａｎｉｓｍ）を通して行われる。
【００４４】
（３）そして、スマートカードのアプリケーション連動機能を考察すると次の通りである。
【００４５】
即ち、スマートカード２００は、内部又は外部に位置する特定アプリケーションの要請に応じて上記抽出された個人化情報を提供するためのインターフェースを提供する。より具体的に、スマートカード２００は、アプレット（Ａｐｐｌｅｔ）形態で上記スマートカードに内蔵されるか、移動通信網上に位置した別途のサーバ上に位置する特定アプリケーションの要請に応じて上記データマイニング機能を通して抽出された個人化情報を提供することにより、その提供を受けた特定アプリケーションの駆動を通して個人向けに特化された多様なサービスの提供を受けることが出来るようにする。例えば、図２に示した通り、上記システムは、上記スマートカードを通して抽出された個人化情報を基に上記ユーザー端末機を通して個人化サービスを提供するサービスアプリケーションサーバ３００を更に含む構成を有することができる。ここで、上記サービスアプリケーションサーバ３００は、アプレット（Ａｐｐｌｅｔ）形態で上記スマートカードに内蔵されたり、移動通信網上に位置した別途のサーバ形態で位置したりすることができ、広告、運勢などスマートカード２００から抽出された個人化情報を利用した多様な付加サービスを提供できる。ここで、サービスアプリケーションサーバ３００がスマートカード２００内部に位置する場合、サービスアプリケーションサーバ３００はウェブ又はワップ上に位置した別途のサーバから付加サービスコンテンツの提供をプッシュ（Ｐｕｓｈ）形態で受け、スマートカード２００から抽出された個人化情報に基づいて付加サービスコンテンツを選別し個別ユーザーに適した付加サービスだけを提供する。
【００４６】
参考までに、スマートカード２００は上述した通り、上記サービスアプリケーションサーバ３００などの多様な形態のアプリケーションをスマートカードウェブサーバ（ＳＣＷＳ）機能を基盤としてアプレット（Ａｐｐｌｅｔ）形態で内蔵でき、このような設置環境の一実施例を図３を参照して考察すれば次の通りである。
【００４７】
即ち、スマートカード２００に内蔵されたスマートカードウェブサーバ（ＳＣＷＳ；Ｓｍａｒｔ  Ｃａｒｄ  Ｗｅｂ  Ｓｅｒｖｅｒ）機能を基盤としてユーザーが要請した特定サービスを登録するためには、接続ユーザーからサービス加入要請を受信するアプリケーションサーバ４００；上記アプリケーションサーバ４００からサービス加入要請の伝達を受けてスマートカード２００と連動してサービス登録手続を行うサービスゲートウェイ５００；ユーザー端末機１００とインターフェースを形成して上記サービスゲートウェイ５００とユーザー端末機１００との間のインターフェースを中継する遠隔管理サーバ６００；などのように追加された構成が要求され得る。
【００４８】
上記アプリケーションサーバ４００は、一つ以上のスマートカード基盤のサービスアプリケーションを内蔵し、例えば、ＨＴＴＰプロトコル（ＸＭＬ  ｏｖｅｒ  ＴＣＰ／ＩＰ）を含む所定のプロトコルを介して接続したユーザーから特定サービスに対する加入要請を受信し、ユーザー要請に応じた特定サービスを提供するために、ユーザー入力情報を含むサービス加入要請をサービスゲートウェイ５００に送信する。
【００４９】
上記サービスゲートウェイ５００は、アプリケーションサーバ４００から受信される上記サービス加入要請に応じてサービス登録手続を行うために、上記ユーザー入力情報を基盤としてユーザー認証及び上記特定サービスに対するユーザー端末機支援の可否を確認する。より具体的に、サービスゲートウェイ５００は、加入者情報及びユーザー端末機情報を含むユーザー情報を既に保存しており、上記サービス加入要請に含まれたユーザー入力情報と上記データ保存部に保存されたユーザー情報とを基にユーザー認証及び上記特定サービスに対するユーザー端末機支援の可否を確認する。
【００５０】
合わせて、サービスゲートウェイ５００は、上記スマートカードとのインターフェースを形成して上記特定サービスに対する登録を要請する。より具体的に、サービスゲートウェイ５００は例えば、有限状態機械（Ｆｉｎｉｔｅ  Ｓｔａｔｅ  Ｍａｃｈｉｎｅ；ＦＳＭ）方式を含む所定の方式を通して上記スマートカード上に上記特定サービスを登録させるためのパラメータを設定する。即ち、サービスゲートウェイ５００は、上記遠隔管理サーバ６００と連動したＯＴＡ（Ｏｖｅｒ−Ｔｈｅ−Ａｉｒ）メッセージを通してスマートカード２００とのセッションを形成し、上記形成されたセッションを通して上記スマートカードウェブサーバ（ＳＣＷＳ）上の指定されたセクターに該当するＵＲＬアドレスを伝達して上記スマートカードとの通信及び認証方式を定義したプロテクション設定値（Ｐｒｏｔｅｃｔｉｏｎ  Ｓｅｔ）を優先的に設定する。ここで、上記プロテクション設定値を通して定義される通信方式には例えば、ＯＴＡメッセージ及びＴＬＳ（Ｔｒａｎｓｐｏｒｔ  Ｌａｙｅｒ  Ｓｅｃｕｒｉｔｙ）セッション方式が含まれることができ、上記認証方式の場合、スマートカードウェブサーバ（ＳＣＷＳ）を基盤とした無線データの送受信に適用される一般的な認証方式が適用される。一方、サービスゲートウェイ５００は、サービス登録過程の一環として上記スマートカード２００上に上記特定サービスに対するＩＤを生成し、この生成された特定サービスに対するＩＤと上記ＵＲＬアドレスとをマッピングさせる。なお、サービスゲートウェイ５００は、上記設定されたプロテクション設定値を上記生成されたＩＤに割り当てることにより、サービス登録のためのパラメータの設定を完了する。
【００５１】
また、サービスゲートウェイ５００は、上記特定サービスの登録のためのパラメータの設定が完了する場合、上記特定サービスの具現のためのコンテンツを送信する。より具体的に、サービスゲートウェイ５００は、上記パラメータ設定過程を通して設定されたプロテクション設定値による認証方式を基にＯＴＡメッセージ又は上記形成されたセッションを通して上記アプリケーションサーバ４００から既登録されている特定サービスの具現のためのコンテンツをスマートカード２００上のＵＲＬアドレスに送信する。この時、サービスゲートウェイ５００は、スマートカード２００の性能を考慮して送信対象コンテンツの個数を予め決まった個数に分割して送信することが望ましい。
【００５２】
上述した構成を基に、スマートカード２００は遠隔管理サーバ６００と連動したＯＴＡ（Ｏｖｅｒ−Ｔｈｅ−Ａｉｒ）メッセージをユーザー端末機１００を通して上記サービスゲートウェイ５００から受信して上記遠隔管理サーバ６００とセッションを形成し、この形成されたセッションを通したサービスゲートウェイ５００のサービス登録要請に応じて上記特定サービスの登録のためのパラメータを設定する。より具体的に、スマートカード２００は、上記形成されたセッションを通して上記サービスゲートウェイ５００から上記ＵＲＬアドレスを受信し上記サービスゲートウェイ５００との通信及び認証方式を定義したプロテクション設定値（Ｐｒｏｔｅｃｔｉｏｎ  Ｓｅｔ）を設定する。また、スマートカード２００は、上記特定サービスに対するＩＤを生成し、この生成された特定サービスに対するＩＤと上記ＵＲＬアドレスとをマッピングさせる。合わせて、スマートカード２００は、上記設定されたプロテクション設定値を上記生成されたＩＤに割り当てることによってサービス登録のためのパラメータ設定を完了する。なお、スマートカード２００は、設定されたプロテクション設定値による認証方式を基にＯＴＡメッセージ又は上記形成されたセッションを通してサービスゲートウェイ５００から受信される上記特定サービスの具現のためのコンテンツをスマートカードウェブサーバの該当ＵＲＬアドレスに保存することにより、上記特定サービス登録を完了する。
【００５３】
以上で察した通り、本発明によるスマートカード基盤の個人化サービスシステムによれば、既存ネットワークサーバ基盤の個人化サービスの場合、個人情報の収集に対する各種規制のためにサービスの提供に限界があったが、スマートカード２００に内蔵されたウェブサーバ（ＳＣＷＳ）機能及び汎用加入者識別モジュール（ＵＳＩＭ）を基盤として個人情報を取得することによって個人情報収集に対する各種規制を回避できるので、多様な個人化サービスが提供できる。
【００５４】
以下、図４を参照して、スマートカード２００の具体的な構成について説明する。スマートカード２００は、スマートカードウェブサーバ（ＳＣＷＳ；Ｓｍａｒｔ  Ｃａｒｄ  Ｗｅｂ  Ｓｅｒｖｅｒ）機能及び汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）が基本的に内蔵された構成を有し、ブラウザ（Ｂｒｏｗｓｅｒ）を内蔵するユーザー端末機１００との連動によって発生されるユーザー履歴情報を収集する履歴情報収集部２１０、上記収集されたユーザー履歴情報を基に個人性向の情報化のためのデータマイニング（Ｍｉｎｉｎｇ）を行って個人化情報を抽出する個人化情報抽出部２２０、及びスマートカード内部又は外部に位置する特定アプリケーションの要請に応じて上記抽出された個人化情報を提供するためのインターフェースを提供するインターフェース提供部２３０を含む構成を有する。
【００５５】
上記履歴情報収集部２１０は、外部に位置した特定サーバ又はユーザー端末機１００及びスマートカード２００内部で発生させるイベントによってスマートカードウェブサーバ（ＳＣＷＳ）機能及び汎用加入者識別モジュール（ＵＳＩＭ）を基盤としてユーザー端末機１００と連動しユーザー履歴情報を収集する（図１及び図２に示されたスマートカードのデータ収集機能を遂行）。より具体的に、履歴情報収集部２１０は、外部に位置した特定サーバから発生されるサーバトリガーリング（Ｔｒｉｇｇｅｒｉｎｇ）イベント、ユーザー端末機１００及びスマートカード２００内部の特定アプリケーションから発生されるローカルトリガーリングイベント、そしてスマートカード２００内に設定された周期による自動トリガーリングイベントを含む既設定されたイベント発生によってユーザー履歴情報を収集する。
【００５６】
このために、履歴情報収集部２１０は、図５に示した通り、スマートカード２００に内蔵されたスマートカードウェブサーバ（ＳＣＷＳ）機能使用による上記ユーザー履歴情報を収集するサーバ情報収集モジュール２１１；スマートカード２００に内蔵された汎用加入者識別モジュール（ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）を基盤として保存されたユーザー履歴情報を収集するカード情報収集モジュール２１２；及びユーザー端末機１００から受信されるユーザー履歴情報を収集する端末情報収集モジュール２１３；を含む構成を有する。
【００５７】
上記サーバ情報収集モジュール２１１は、スマートカードウェブサーバ（ＳＣＷＳ）機能使用によって要求されるユーザー入力情報を含むユーザー履歴情報を収集する。望ましくは、サーバ情報収集モジュール２１１は、初期スマートカードウェブサーバ（ＳＣＷＳ）機能の使用時に必須として要求されるユーザー入力情報を収集する。ここで、上記ユーザー入力情報は、ユーザーが直接作成した１次的な非加工データを指し示すもので、ユーザーの年齢、性別、住所、趣味などであり得、このような入力データの範疇は運用者の設定によって多様に変更指定されることが望ましい。
【００５８】
また、サーバ情報収集モジュール２１１は、ユーザー要請サイトの接続履歴情報を収集する。より具体的に、サーバ情報収集モジュール２１１は、ユーザー端末機１００に内蔵されたブラウザを介した外部接続履歴及びスマートカード２００に内蔵された形態のウェブサイト、即ち、スマートカードウェブサーバ（ＳＣＷＳ）機能に基づいてアプレット（Ａｐｐｌｅｔ）を基盤として設置された多数のサイトに接続することによって、スマートカードウェブサーバ（ＳＣＷＳ）にクッキーファイルの形で登載されるか又は該当ウェブサイトで管理される接続ＵＲＬ情報を収集する。参考までに、サーバ情報収集モジュール２１１は、スマートカードウェブサーバ（ＳＣＷＳ）機能使用によって発生されるユーザー履歴情報を収集するにあたって、ジャバカード（Ｊａｖａ  Ｃａｒｄ）２．２．１で定義した共有インターフェースメカニズム（Ｓｈａｒｅａｂｌｅ  Ｉｎｔｅｒｆａｃｅ  Ｍｅｃｈａｎｉｓｍ）を適用し上記スマートカードウェブサーバ機能を基盤として位置した多数のアプレット（Ａｐｐｌｅｔ）からユーザー履歴情報を抽出できる。
【００５９】
上記カード情報収集モジュール２１２は、汎用加入者識別モジュール（ＵＳＩＭ）を基盤として保存された上記ユーザー端末機を通した通話履歴情報を含む上記ユーザー履歴情報を収集する。より具体的に、カード情報収集モジュール２１２は、汎用加入者識別モジュール（ＵＳＩＭ）のファイル構造内に保存されている上記ユーザー端末機１００を通した通話履歴（Ｃａｌｌ  Ｈｉｓｔｏｒｙ，ＳＭＳ）を収集する。
【００６０】
上記端末情報収集モジュール２１３は、ユーザー端末機１００から受信されるユーザー履歴情報を収集する。より具体的に、端末情報収集モジュール２１３はイベント発生、つまり、ユーザー設定周期によって、ＣＡＴ（Ｃｒｅｄｉｔ  Ａｕｔｈｏｒｉｚａｔｉｏｎ  Ｔｅｒｍｉｎａｌ）構造（Ｆｒａｍｅｗｏｒｋ）を通してユーザー端末機１００から受信される基地局情報に含まれた位置及び時間情報を収集する。この時、端末情報収集モジュール２１３は、ユーザー設定によって上記基地局情報の他にユーザー端末機１００又は外部に位置したサーバから受信される多様な外部データを受信する構成も可能である。
【００６１】
上記個人化情報抽出部２２０は、履歴情報収集部２１０を通して収集されたユーザー履歴情報を基に個人性向の情報化のためのデータマイニング（Ｍｉｎｉｎｇ）を行って個人化情報を抽出する（図１及び図２に示されたスマートカードのデータマイニング機能を遂行）。より具体的に、個人化情報抽出部２２０は収集されたユーザー履歴情報、即ち、個人の通話履歴、位置履歴、購買履歴、訪問履歴、個人情報などを基にデータマイニングを行なってユーザー別選好、愛用、関心、性向などを情報化した個人化情報を抽出する。ここで、データマイニングは神経網（Ｎｅｕｒａｌ  ｎｅｔｗｏｒｋ）、Ｋ−平均クラスタリング（Ｋ−ｍｅａｎｓ  ｃｌｕｓｔｅｒｉｎｇ）及び決定木（Ｄｅｃｉｓｉｏｎ  ｔｒｅｅ）などを含むマイニングメカニズム（Ｍｉｎｉｎｇ  Ｍｅｃｈａｎｉｓｍ）を通して行なわれる。
【００６２】
上記インターフェース提供部２３０は、スマートカード２００内部又は外部に位置する特定アプリケーションの要請に応じて上記抽出された個人化情報を提供するためのインターフェースを提供する（図１及び図２に示されたスマートカードのアプリケーション連動機能を遂行）。より具体的に、インターフェース提供部２３０は、アプレット（Ａｐｐｌｅｔ）形態で上記スマートカードに内蔵されるか、移動通信網上に位置した別途のサーバ上に位置する特定アプリケーションの要請に応じて上記データマイニング機能を通して抽出された個人化情報を提供することによって、その提供を受けた特定アプリケーションの駆動を通して個人向けに特化された多様なサービスの提供を受けることが出来るようにする。
【００６３】
以上で察した通り、本発明によるスマートカード２００の構成によれば、スマートカード２００に内蔵されたウェブサーバ（ＳＣＷＳ）機能及び汎用加入者識別モジュール（ＵＳＩＭ）を基盤として個人情報を取得することによってネットワークサーバとの連動なしでもスマートカード２００内部で多様な個人情報を取得して個人化情報を抽出できる。
【００６４】
以下、図６を参照して、本発明の実施例によるスマートカード基盤の個人化サービス方法を説明する。ここで、説明の便宜上、上述した図１乃至図５に図示された構成については該当参照番号を言及して説明することにする。
【００６５】
まず、スマートカード２００がブラウザ（Ｂｒｏｗｓｅｒ）を内蔵する上記ユーザー端末機１００と連動する（Ｓ１１０）。望ましくは、スマートカード２００が上記ユーザー端末機１００に搭載された状態で外部に位置した特定サーバ又はユーザー端末機１００及びスマートカード２００内部でのイベント発生によって本願実施例による個人化サービスのための動作を開始する。より具体的に、スマートカード２００は、外部に位置した特定サーバから発生されるサーバトリガーリング（Ｔｒｉｇｇｅｒｉｎｇ）イベント、ユーザー端末機１００及びスマートカード２００内部の特定アプリケーションから発生されるローカルトリガーリングイベント、そしてスマートカード２００内に設定された周期による自動トリガーリングイベントを含む既設定されたイベント発生に従って個人化サービスのための動作を開始する。
【００６６】
それから、スマートカード２００はユーザー端末機１００との連動によって発生されるユーザー履歴情報を収集する（Ｓ１２０−Ｓ１６０）。望ましくは、履歴情報収集部２１０が内蔵されたスマートカードウェブサーバ（ＳＣＷＳ）機能及び汎用加入者識別モジュール（ＵＳＩＭ）を基盤としてユーザー端末機１００と連動しユーザー履歴情報を収集する。より具体的に、サーバ情報収集モジュール２１１は、初期スマートカードウェブサーバ（ＳＣＷＳ）機能の使用時に必須として要求されるユーザー入力情報を収集する。また、サーバ情報収集モジュール２１１は、ユーザー端末機１００に内蔵されたブラウザを通した外部接続履歴及びスマートカードウェブサーバ（ＳＣＷＳ）に保存されたユーザー要請サイトの接続履歴情報を収集する。また、カード情報収集モジュール２１２は、汎用加入者識別モジュール（ＵＳＩＭ）のファイル構造内に保存されている上記ユーザー端末機１００を通した通話履歴（Ｃａｌｌ  Ｈｉｓｔｏｒｙ，ＳＭＳ）を収集する。合わせて、端末情報収集モジュール２１３は、ユーザー端末機１００から受信されるユーザー履歴情報を収集する。より具体的に、端末情報収集モジュール２１３はイベント発生、つまり、ユーザー設定周期によってＣＡＴ（Ｃｒｅｄｉｔ  Ａｕｔｈｏｒｉｚａｔｉｏｎ  Ｔｅｒｍｉｎａｌ）構造（Ｆｒａｍｅｗｏｒｋ）を通してユーザー端末機１００から受信される基地局情報に含まれた位置及び時間情報を収集する。
【００６７】
その後、個人化情報抽出部２２０が上記収集されたユーザー履歴情報を基に個人性向の情報化のためのデータマイニング（Ｍｉｎｉｎｇ）を行う（Ｓ１７０−Ｓ１８０）。望ましくは、個人化情報抽出部２２０は、履歴情報収集部２１０を通して収集されたユーザー履歴情報を基に個人性向の情報化のためのデータマイニング（Ｍｉｎｉｎｇ）を行って個人化情報を抽出する。より具体的に、個人化情報抽出部２２０は、収集されたユーザー履歴情報、即ち、個人の通話履歴、位置履歴、購買履歴、訪問履歴、個人情報などを基に神経網（Ｎｅｕｒａｌ  ｎｅｔｗｏｒｋ）、Ｋ−平均クラスタリング（Ｋ−ｍｅａｎｓ  ｃｌｕｓｔｅｒｉｎｇ）及び決定木（Ｄｅｃｉｓｉｏｎ  ｔｒｅｅ）などを含むマイニングメカニズム（Ｍｉｎｉｎｇ  Ｍｅｃｈａｎｉｓｍ）を通してデータマイニングを行ない、ユーザー別選好、愛用、関心、性向などを情報化した個人化情報を抽出する。
【００６８】
以後、インターフェース提供部２３０が上記データマイニングの遂行によって抽出される個人化情報を特定アプリケーションの要請に応じて提供する（Ｓ１９０−Ｓ２００）。望ましくは、インターフェース提供部２３０は、スマートカード２００内部又は外部に位置する特定アプリケーションの要請に応じて上記抽出された個人化情報を提供するためのインターフェースを提供する。より具体的に、インターフェース提供部２３０は、アプレット（Ａｐｐｌｅｔ）形態で上記スマートカードに内蔵されるか、移動通信網上に位置した別途のサーバ上に位置する特定アプリケーションの要請に応じて上記データマイニング機能を通して抽出された個人化情報を提供することにより、その提供を受けた特定アプリケーションの駆動を通して個人向けに特化された多様なサービスの提供を受けることが出来るようにする。
【００６９】
以上で察した通り、本発明によるスマートカード基盤の個人化サービス方法によれば、スマートカード２００に内蔵されたウェブサーバ（ＳＣＷＳ）機能及び汎用加入者識別モジュール（ＵＳＩＭ）を基盤として個人情報を取得することにより、ネットワークサーバとの連動なしでもスマートカード２００内部で多様な個人情報を取得して個人化情報を抽出できる。
【００７０】
一方、ここに提示された実施例と関連して説明された方法又はアルゴリズムの段階はハードウェアで直接具現されたり、プロセッサーにより遂行されるソフトウェアモジュールで具現されたり、又はこれらの結合により具現されたりできる。ソフトウェアモジュールは、ＲＡＭメモリー、フラッシュメモリー、ＲＯＭメモリー、ＥＰＲＯＭメモリー、ＥＥＰＲＯＭメモリー、レジスター、ハードディスク、リムーバブルディスク、ＣＤ−ＲＯＭ、又は技術的に公知となった任意の他の形態の保存媒体に常駐できる。例示的な保存媒体はプロセッサーに連結される結果、プロセッサーは保存媒体から情報を読み込み保存媒体に書き込みできる。代案として、保存媒体はプロセッサーに統合されてもよい。プロセッサー及び保存媒体はＡＳＩＣ内に含まれることができる。ＡＳＩＣはユーザー端末機内に含まれることができる。代案として、プロセッサー及び保存媒体はユーザー端末機内に個別的なコンポーネントとして含まれることができる。
【００７１】
今まで本発明を望ましい実施例を参照しながら詳しく説明したが、本発明は上記実施例に限定されるのではなく、以下の特許請求の範囲にて請求する本発明の要旨を逸脱せずに本発明の属する技術分野において通常の知識を有する者ならば誰でも多様な変形又は修正が可能な範囲まで本発明の技術的思想が及ぶと言えよう。
【産業上の利用可能性】
【００７２】
本発明によるスマートカード基盤の個人化サービスシステム及びその方法、そしてこれに適用されるスマートカードは、ネットワークサーバとの連動なしでもスマートカード内で多様な個人情報を取得するという点で、既存技術の限界を越え、関連技術の利用だけでなく、適用される装置の市販又は営業の可能性も充分なばかりか、現実的に明白に実施可能な程度であることから、産業上の利用可能性を持つ発明である。
【図１】
0005406289.tif 000002
【図２】
0005406289.tif 000003
【図３】
0005406289.tif 000004
【図４】
0005406289.tif 000005
【図５】
0005406289.tif 000006
【図６】
0005406289.tif 000007